(57)【要約】【課題】複数の機能をユーザに試しに使用させることができ、その使用に基づいて、ユーザが望みの機能のオプション購入を決定することができるサービス性にすぐれた画像形成装置およびその制御方法を提供する。装置を提供する。【解決手段】ネットワークプリンタ機能およびネットワークスキャン機能について、使用回数が制限されたお試しモードを設定することができる。この設定されたお試しモードが終了すると、そのお試しの対象となった機能の使用が専用キーのセットに応じて許容される。【選択図】    図１
2005031812.tif 000002
【特許請求の範囲】
【請求項１】
複数の機能を有する複合型の画像形成装置において、
前記複数の機能のうち、少なくとも１つの機能について使用回数または使用日数が制限されたお試しモードを設定する設定手段と、
前記設定されたお試しモードの途中または終了後、そのお試しの対象となった機能のその後の使用を専用キーのセットに応じて許容する制御手段と、
を備えたことを特徴とする画像形成装置。
【請求項２】
請求項１に記載の画像形成装置において、
前記設定手段は、試用の要求をお試しモードの開始条件とすることを特徴とする画像形成装置。
【請求項３】
請求項１に記載の画像形成装置において、
前記専用キーは、使用を許可するための手段として供与されることを特徴とする画像形成装置。
【請求項４】
複数の機能を有する複合型の画像形成装置において、
前記複数の機能のうち、少なくとも１つの機能について使用回数または使用日数が制限されたお試しモードを設定するステップと、
前記設定されたお試しモードの途中または終了後、そのお試しの対象となった機能のその後の使用を専用キーのセットに応じて許容するステップと、
を備えたことを特徴とする画像形成装置の制御方法。
【発明の詳細な説明】
【０００１】
【発明の属する技術分野】
この発明は、コピー機能、ネットワークスキャン機能、ネットワークプリンタ機能など、複数の機能を有する複合型の画像形成装置およびその制御方法に関する。
【０００２】
【従来の技術】
通常のコピー機能のほかに、スキャナで読取った画像を電子メールに添付するなどの形で外部に送信するネットワークスキャナ機能、外部から入力される画像信号に応じた画像をプリント出力するネットワークプリンタ機能など、複数の機能を有する複合型の画像形成装置（ＭＦＰという）がある。
【０００３】
このような複合型の画像形成装置では、コピー機能については標準機能としてすぐに使用することが可能となっているが、ネットワークスキャナ機能やネットワークプリンタ機能については、ユーザが必要に応じてオプション購入することを条件に使用を許可する場合がある。
【０００４】
【発明が解決しようとする課題】
ただし、上記のネットワークスキャナ機能あるいはネットワークプリンタ機能をユーザがオプション購入しても、その後、あまり使用する機会がないなど、ユーザにとって無駄な経費を生じてしまうことがある。
【０００５】
この発明は上記の事情を考慮したもので、１つまたは複数の機能をユーザに試しに使用させることができ、その使用に基づいて、ユーザが望みの機能のオプション購入を決定することができるサービス性にすぐれた画像形成装置およびその制御方法を提供することを目的とする。
【０００６】
【課題を解決するための手段】
請求項１に係る発明の画像形成装置は、複数の機能を有する複合型のものであって、複数の機能のうち、少なくとも１つの機能について使用回数または使用日数が制限されたお試しモードを設定する設定手段と、この設定されたお試しモードの途中または終了後、そのお試しの対象となった機能のその後の使用を専用キーのセットに応じて許容する制御手段と、を備えている。
【０００７】
請求項４に係る発明の画像形成装置の制御方法は、複数の機能を有する複合型の画像形成装置において、上記複数の機能のうち、少なくとも１つの機能について使用回数または使用日数が制限されたお試しモードを設定するステップと、この設定されたお試しモードの途中または終了後、そのお試しの対象となった機能のその後の使用を専用キーのセットに応じて許容するステップと、を備えている。
【０００８】
【発明の実施の形態】
以下、この発明の一実施形態について図面を参照して説明する。
図１に示すように、画像形成装置の本体１の上面部に原稿載置台２が設けられ、その原稿載置台２上に排紙トレイを含む自動原稿送り装置（ＡＤＦ）３が開閉自在に設けられている。原稿載置台２と同じ高さの位置には、動作条件設定用の操作手段として、図２に示すコントロールパネル４が設けられている。
【０００９】
本体１の下部には、画像形成媒体である各種サイズの用紙が収容された用紙カセット５，６，７，８が設けられている。
また、本体１の側面に、プリントイネーブラキー１１またはスキャンイネーブラキー１２を挿入接続するためのＵＳＢインタフェース９が設けられている。プリントイネーブラキー１１およびスキャンイネーブラキー１２は、お試しの対象となった機能の使用を許可するためのものとして、メーカーや販売代理店から供与される専用キーであり、使用許可のコードが格納されたメモリを内蔵している。
【００１０】
本体１内の制御回路を図３に示している。
２０は制御の中枢となるＣＰＵで、このＣＰＵ２０にデコーダ２１、ＲＡＭ２２、ＲＯＭ２３、カウンタ２４、電波時計２５、パネル制御部３１、コピー制御部３２、ネットワークスキャナ制御部３３、ネットワークプリンタ制御部３４、およびネットワーク制御部３７が接続されている。
上記デコーダ２１は、ＵＳＢインタフェース９に挿入接続されるプリントイネーブラキー１１またはスキャンイネーブラキー１２からコードを読み出してそのコードを解読する。この解読結果がＣＰＵ２０に供給される。ＲＡＭ２２には、上記コードの解読用データ、後述のプリント回数Ｐに対する設定値Ｎ、後述のスキャン回数Ｌに対する設定値Ｓなどが記憶されている。ＲＯＭ２３には、本体１の動作に必要な各種制御プログラムが格納されている。カウンタ２４は、お試しモードにおけるプリント回数Ｐおよびスキャン回数Ｌをカウントする。電波時計２５は、アンテナ２５ａを付属して備え、現在時刻を計時しながらその現在時刻を標準時刻電波の受信により逐次に更新する。
【００１１】
パネル制御部３１は、上記コントロールパネル４を制御する。コピー制御部３２は、スキャナ３５およびプリンタ３６を用いたコピー機能を制御する。ネットワークスキャナ制御部３３は、スキャナ３５を用いたネットワークスキャナ機能を制御する。ネットワークプリンタ制御部３４は、プリンタ３６を用いたネットワークプリンタ機能（ＦＡＸ機能含む）を制御する。ネットワーク制御部３７は、ネットワークインタフェース３８を介して外部とのデータ送受信を制御する。ネットワークインタフェース３８は、ＬＡＮボードやＦＡＸモデムなどを含み、外部の通信回線４０を介してユーザ端末である多数台のパーソナルコンピュータ４１，４１，…４１に接続される。
【００１２】
ＣＰＵ２０は、主要な機能として次の（１）〜（２）の手段を有している。
（１）ネットワークスキャナ機能、ネットワークプリンタ機能のうち、少なくとも１つの機能について試用回数（または使用日数）が制限されたお試しモードを設定する設定手段。
（２）上記設定されたお試しモードの途中または終了後、そのお試しの対象となった機能のその後の使用をプリントイネーブラキー１１またはスキャンイネーブラキー１２のセット（挿入接続）に応じて許容する制御手段。
【００１３】
つぎに、上記の構成の作用を図４のフローチャートを参照しながら説明する。
本体１が設置された後、コントロールパネル４からネットワークプリント試用の要求が入力されると（ステップ１０１のＹＥＳ）、その入力に応じて、本体１でネットワークプリンタ機能のお試しモードが開始される（ステップ１０２）。ネットワークプリント試用の要求は、設置に立ち会ったサービスマン等の操作により入力される。そして、ネットワークプリンタ機能のお試し設定回数Ｎとして例えば“１万枚”が設定されるとともに、カウンタ２４のプリント回数Ｐが“０”に初期設定される（ステップ１０３）。
【００１４】
プリントイネーブラキー１１がセットされないまま（ステップ１０４のＮＯ）、パーソナルコンピュータ４１から通信回線４０を介して本体１にプリント指令が入力されると（ステップ１０５のＹＥＳ）、パーソナルコンピュータ４１から入力される画像信号に応じたプリントがプリンタ３６で実行される（ステップ１０６のＹＥＳ）。このプリントに伴い、カウンタ２４のプリント回数Ｐが“１”アップされるとともに（ステップ１０７）、“１”アップ後のプリント回数Ｐが上記お試し設定回数Ｎから減算されてお試し残り回数Ｅが求められる（ステップ１０８）。求められたお試し残り回数Ｅは、図５に示すように、コントロールパネル４の空き表示領域に“プリント残：…枚”として文字表示される（ステップ１０９）。ユーザは、この表示を見ることにより、お試しネットワークプリントの残り回数Ｅを把握することができる。
【００１５】
お試し残り回数Ｅが“０”にならないうちは（ステップ１１０のＮＯ）、プリント指令の中に複数のプリント・ジョブが存在している場合に、その全てのプリント・ジョブが終了するまで（ステップ１１１のＹＥＳ）、ステップ１０６からステップ１０９の処理が繰返される。
【００１６】
お試し残り回数Ｅが“０”になっても（ステップ１１０のＹＥＳ）、全てのプリント・ジョブが終了していなければ（ステップ１１２のＮＯ）、ステップ１０６からステップ１０９の処理が繰返される。
【００１７】
お試し残り回数Ｅが“０”以下になり（ステップ１１０のＹＥＳ）、しかも全てのプリント・ジョブが終了すると（ステップ１１２のＹＥＳ）、ネットワークプリント機能のお試しモードが終了となって、図６に示すようにコントロールパネル４の空き表示領域に“お試しモード終了”の文字が表示される（ステップ１１３）。
【００１８】
ネットワークプリンタ機能のお試しモードの終了後、ＵＳＢインタフェース９にプリントイネーブラキー１１が挿入接続されなければ（ステップ１１４のＮＯ）、ネットワークプリンタ機能の使用がそのまま禁止される（ステップ１１５）。
【００１９】
ネットワークプリンタ機能のお試しモードの終了後、ネットワークプリンタ機能の使用を望むユーザは、プリントイネーブラキー１１を販売店等から供与してもらう。このプリントイネーブラキー１１には、本体１に固有の識別コードが、プリント可能コードと共に、使用を許可するための条件として格納されている。このプリントイネーブラキー１１がＵＳＢインタフェース９に挿入接続されると（ステップ１１４のＹＥＳ）、プリントイネーブラキー１１からコードが読み出され、読み出されたコードが解読される（ステップ１１６）。この解読結果が本体１に固有の識別コードおよびプリント可能コードに一致すれば（ステップ１１７のＹＥＳ）、以後のネットワークプリンタ機能の使用が許可される（ステップ１１８）。
【００２０】
ところで、ネットワークプリンタ機能のお試しモードの途中で、ＵＳＢインタフェース９にプリントイネーブラキー１１が挿入接続されることがある（ステップ１０４のＹＥＳ）。この場合は、プリントイネーブラキー１１からコードが読み出され、読み出されたコードが解読される（ステップ１１９）。この解読結果が本体１に固有の識別コードおよびプリント可能コードに一致しなければ（ステップ１２０のＮＯ）、不一致の旨がコントロールパネル４の空き表示領域に文字表示される（ステップ１２１）。この表示を見たユーザは、プリントイネーブラキー１１を適正なものと交換してもらい、それを再びＵＳＢインタフェース９に挿入接続することになる（ステップ１０４のＹＥＳ）。
【００２１】
再セットされたプリントイネーブラキー１１からコードが読み出されて解読され（ステップ１１９）、その解読結果が本体１に固有の識別コードおよびプリント可能コードに一致すれば（ステップ１２０のＹＥＳ）、再セットされたのがプリントイネーブラキー１１であることから（ステップ１２２のＹＥＳ）、以後のネットワークプリンタ機能の使用が許可される（ステップ１１８）。
【００２２】
一方、本体１が設置された後、コントロールパネル４からネットワークスキャン試用の要求が入力されると（ステップ１２３のＹＥＳ）、その入力に応じて、本体１でネットワークスキャン機能のお試しモードが開始される（ステップ１２４）。ネットワークスキャン試用の要求についても、設置に立ち会ったサービスマン等の操作により入力される。そして、ネットワークスキャン機能のお試し設定回数Ｓとして例えば“１万枚”が設定されるとともに、カウンタ２４のプリント回数Ｐが“０”に初期設定される（ステップ１２５）。
【００２３】
スキャンイネーブラキー１２がセットされないまま（ステップ１０４のＮＯ）、パーソナルコンピュータ４１から通信回線４０を介して本体１にスキャン指令が入力されると（ステップ１２６のＹＥＳ）、パーソナルコンピュータ４１から入力される画像信号に応じたプリントがプリンタ３６で実行される（ステップ１０６のＹＥＳ）。このプリントに伴い、カウンタ２４のプリント回数Ｐが“１”アップされるとともに（ステップ１０７）、“１”アップ後のプリント回数Ｐが上記お試し設定回数Ｎから減算されてお試し残り回数Ｅが求められる（ステップ１０８）。求められたお試し残り回数Ｅは、図５に示すように、コントロールパネル４の空き表示領域に“プリント残：…枚”として文字表示される（ステップ１０９）。ユーザは、この表示を見ることにより、お試しネットワークプリントの残り回数Ｅを把握することができる。
【００２４】
お試し残り回数Ｅが“０”にならないうちは（ステップ１１０のＮＯ）、プリント指令の中に複数のプリント・ジョブが存在している場合に、その全てのプリント・ジョブが終了するまで（ステップ１１１のＹＥＳ）、ステップ１０６からステップ１０９の処理が繰返される。
【００２５】
お試し残り回数Ｅが“０”になっても（ステップ１１０のＹＥＳ）、全てのプリント・ジョブが終了していなければ（ステップ１１２のＮＯ）、ステップ１０６からステップ１０９の処理が繰返される。
【００２６】
お試し残り回数Ｅが“０”以下になり（ステップ１１０のＹＥＳ）、しかも全てのプリント・ジョブが終了すると（ステップ１１２のＹＥＳ）、ネットワークプリント機能のお試しモードが終了となって、図６に示すようにコントロールパネル４の空き表示領域に“お試しモード終了”の文字が表示される（ステップ１１３）。
【００２７】
ネットワークプリンタ機能のお試しモードの終了後、ＵＳＢインタフェース９にプリントイネーブラキー１１が挿入接続されなければ（ステップ１１４のＮＯ）、ネットワークプリンタ機能の使用がそのまま禁止される（ステップ１１５）。
【００２８】
ネットワークプリンタ機能のお試しモードの終了後、ネットワークプリンタ機能の使用を望むユーザは、プリントイネーブラキー１１を販売店等から供与してもらう。このプリントイネーブラキー１１には、本体１に固有の識別コードが、プリント可能コードと共に、使用を許可するための条件として格納されている。このプリントイネーブラキー１１がＵＳＢインタフェース９に挿入接続されると（ステップ１１４のＹＥＳ）、プリントイネーブラキー１１からコードが読み出され、読み出されたコードが解読される（ステップ１１６）。この解読結果が本体１に固有の識別コードおよびプリント可能コードに一致すれば（ステップ１１７のＹＥＳ）、以後のネットワークプリンタ機能の使用が許可される（ステップ１１８）。
【００２９】
ところで、ネットワークプリンタ機能のお試しモードの途中で、ＵＳＢインタフェース９にプリントイネーブラキー１１が挿入接続されることがある（ステップ１０４のＹＥＳ）。この場合は、プリントイネーブラキー１１からコードが読み出され、読み出されたコードが解読される（ステップ１１９）。この解読結果が本体１に固有の識別コードおよびプリント可能コードに一致しなければ（ステップ１２０のＮＯ）、不一致の旨がコントロールパネル４の空き表示領域に文字表示される（ステップ１２１）。この表示を見たユーザは、スキャンイネーブラキー１２を適正なものと交換してもらい、それを再びＵＳＢインタフェース９に挿入接続することになる（ステップ１０４のＹＥＳ）。
【００３０】
再セットされたスキャンイネーブラキー１２からコードが読み出されて解読され（ステップ１１９）、その解読結果が本体１に固有の識別コードおよびプリント可能コードに一致すれば（ステップ１２０のＹＥＳ）、再セットされたのがスキャンイネーブラキー１２であることから（ステップ１２２のＮＯ）、以後のネットワークプリンタ機能の使用が許可される（ステップ１３８）。
【００３１】
一方、本体１が設置された後、パーソナルコンピュータ４１から通信回線４０を介して本体１にスキャン指令が入力されると、スキャン３５のスキャンが実行されて原稿載置台２に載置された原稿の画像が読取られる（ステップ１２７）。この読取画像を添付した形の電子メールが生成され、その電子メールが通信回線４０を介してパーソナルコンピュータ４１に送られる。いわゆるＳｃａｎ  Ｔｏ  Ｅｍａｉｌである。
【００３２】
このネットワークスキャンに伴い、カウンタ２４のスキャン回数Ｌが“１”アップされるとともに（ステップ１２８）、その“１”アップ後のスキャン回数Ｌが上記お試し設定回数Ｓから減算されてお試し残り回数Ｍが求められる（ステップ１２９）。求められたお試し残り回数Ｍは、図５に示すように、コントロールパネル４の空き表示領域に“スキャン残：…枚”として文字表示される（ステップ１３０）。ユーザは、この表示を見ることにより、お試しネットワークスキャンの残り回数Ｍを把握することができる。
【００３３】
お試しネットワークスキャンの残り回数Ｍが“０”になっても（ステップ１３１のＹＥＳ）、全てのスキャン・ジョブが終了していなければ（ステップ１３２のＮＯ）、ステップ１２７からステップ１３０の処理が繰返される。
【００３４】
お試し残り回数Ｍが“０”になり（ステップ１３１のＹＥＳ）、しかも全てのスキャン・ジョブが終了すると（ステップ１３２のＹＥＳ）、ネットワークスキャン機能のお試しモードが終了となって、図６に示すようにコントロールパネル４の空き表示表示領域に“お試しモード終了”の文字が表示される（ステップ１３３）。
【００３５】
ネットワークスキャン機能のお試しモードの終了後、ＵＳＢインタフェース９にスキャンイネーブラキー１２が挿入接続されなければ（ステップ１３４のＮＯ）、ネットワークスキャン機能の使用がそのまま禁止される（ステップ１３５）。
【００３６】
ネットワークスキャン機能のお試しモードの終了後、ネットワークスキャン機能の使用を望むユーザは、スキャンイネーブラキー１２を販売店等から供与してもらう。このスキャンイネーブラキー１２には、本体１に固有の識別コードが、スキャン可能コードと共に、使用を許可するための条件として格納されている。このスキャンイネーブラキー１２がＵＳＢインタフェース９に挿入接続されると（ステップ１３４のＹＥＳ）、スキャンイネーブラキー１２からコードが読み出され、読み出されたコードが解読される（ステップ１３６）。この解読結果が本体１に固有の識別コードおよびスキャン可能コードに一致すれば（ステップ１３７のＹＥＳ）、以後のネットワークスキャン機能の使用が許可される（ステップ１３８）。
【００３７】
ところで、ネットワークスキャン機能のお試しモードの途中で、ＵＳＢインタフェース９にスキャンイネーブラキー１２が挿入接続されることがある（ステップ１０４のＹＥＳ）。この場合は、スキャンイネーブラキー１２からコードが読み出され、読み出されたコードが解読される（ステップ１１９）。この解読結果が本体１に固有の識別コードおよびプリント可能コードに一致しなければ（ステップ１２０のＮＯ）、不一致の旨がコントロールパネル４の空き表示領域に文字表示される（ステップ１２１）。この表示を見たユーザは、プリントイネーブラキー１１を適正なものと交換してもらい、それを再びＵＳＢインタフェース９に挿入接続することになる（ステップ１０４のＹＥＳ）。
【００３８】
再セットされたプリントイネーブラキー１１からコードが読み出されて解読され（ステップ１１９）、その解読結果が本体１に固有の識別コードおよびプリント可能コードに一致すれば（ステップ１２０のＹＥＳ）、再セットされたのがプリントイネーブラキー１１であることにより（ステップ１２２のＹＥＳ）、以後のネットワークプリンタ機能の使用が許可される（ステップ１１８）。
【００３９】
以上のように、通常に使用し得るコピー機能のほかに、ネットワークスキャナ機能およびネットワークプリンタ機能を予め備え、これら機能をユーザが試しに使用できるようにしたので、ユーザはそれぞれの機能が必要であるか否かを自らの体験によって十分に認識することができる。この結果、ユーザが望みの機能のオプション購入を望む場合に限り、その機能の使用を許可するためのプリントイネーブラキー１１またはスキャンイネーブラキー１２を供与するようにしたので、本体１を提供する側の販売店やメーカーにとって不利益のない効率的な営業を実施できる。ユーザにとっては、使用しない無駄な機能についての使用料を払わなくて済むなど、経済的である。
【００４０】
なお、上記実施形態では、お試しモードの制限としてお試し残り回数Ｐ，Ｍを定めたが、ファーストプリントおよびファーストスキャンと同時に電波時計の計時によるタイムカウントを開始し、そのタイムカウントに基づく経過日数をお試しモードの制限として定めてもよい。この場合、図７に示すように、コントロールパネル４の空き表示領域に“お試しモード：残り…日”が表示される。
【００４１】
その他、この発明は、上記実施形態そのままに限定されるものではなく、実施段階ではその要旨を逸脱しない範囲で構成要素を変形して具体化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に亘る構成要素を適宜組み合わせてもよい。
【００４２】
【発明の効果】
以上述べたようにこの発明によれば、複数の機能をユーザに試しに使用させることができ、その使用に基づいて、ユーザが望みの機能のオプション購入を決定することができるサービス性にすぐれた画像形成装置およびその制御方法を提供できる。
【図面の簡単な説明】
【図１】この発明の一実施形態の外観を示す斜視図。
【図２】同実施形態のコントロールパネルの構成を示す図。
【図３】同実施形態の制御回路のブロック図。
【図４】同実施形態の作用を説明するためのフローチャート。
【図５】同実施形態のコントロールパネルの表示例を示す図。
【図６】同実施形態のコントロールパネルの別の表示例を示す図。
【図７】同実施形態の変形例におけるコントロールパネルの表示例を示す図。
【符号の説明】
１…本体、２…原稿載置台、３…自動原稿送り装置、４…コントロールパネル、５，６，７，８…給紙カセット、９…ＵＳＢインタフェース、１１…プリントイネーブラキー、１２…スキャンイネーブラキー、２０…ＣＰＵ、２１…デコーダ、３１…パネル制御部、３２…コピー制御部、３３…ネットワークスキャン制御部３３、３４…ネットワークプリンタ制御部３４、３５…スキャナ、３６…プリンタ、３７…ネットワーク制御部、３８…ネットワークインタフェース、４０…通信回線、４１…ユーザ端末（パーソナルコンピュータ）
【図１】
2005031812.tif 000003
【図２】
2005031812.tif 000004
【図３】
2005031812.tif 000005
【図４】
2005031812.tif 000006
【図５】
2005031812.tif 000007
【図６】
2005031812.tif 000008
【図７】
2005031812.tif 000009
【手続補正書】
【提出日】平成16年4月20日(2004.4.20)
【手続補正１】
【補正対象書類名】明細書
【補正対象項目名】００２２
【補正方法】変更
【補正の内容】
【００２２】
一方、本体１が設置された後、コントロールパネル４からネットワークスキャン試用の要求が入力されると（ステップ１２３のＹＥＳ）、その入力に応じて、本体１でネットワークスキャン機能のお試しモードが開始される（ステップ１２４）。ネットワークスキャン試用の要求についても、設置に立ち会ったサービスマン等の操作により入力される。そして、ネットワークスキャン機能のお試し設定回数Ｓとして例えば“１万枚”が設定されるとともに、カウンタ２４のスキャン回数Ｌが“０”に初期設定される（ステップ１２５）。


【手続補正２】
【補正対象書類名】明細書
【補正対象項目名】００２３
【補正方法】削除
【補正の内容】
【手続補正３】
【補正対象書類名】明細書
【補正対象項目名】００２４
【補正方法】削除
【補正の内容】
【手続補正４】
【補正対象書類名】明細書
【補正対象項目名】００２５
【補正方法】削除
【補正の内容】
【手続補正５】
【補正対象書類名】明細書
【補正対象項目名】００２６
【補正方法】削除
【補正の内容】
【手続補正６】
【補正対象書類名】明細書
【補正対象項目名】００２７
【補正方法】削除
【補正の内容】
【手続補正７】
【補正対象書類名】明細書
【補正対象項目名】００２８
【補正方法】削除
【補正の内容】
【手続補正８】
【補正対象書類名】明細書
【補正対象項目名】００２９
【補正方法】削除
【補正の内容】
【手続補正９】
【補正対象書類名】明細書
【補正対象項目名】００３０
【補正方法】削除
【補正の内容】
【手続補正１０】
【補正対象書類名】明細書
【補正対象項目名】００３１
【補正方法】変更
【補正の内容】
【００３１】
スキャンイネーブラキー１２がセットされないまま（ステップ１０４のＮＯ）、本体１からスキャン指令が入力されると（ステップ１２６のＹＥＳ）、スキャナ３５のスキャンが実行されて原稿載置台２に載置された原稿の画像が読取られる（ステップ１２７）。この読取画像を添付した形の電子メールが生成され、その電子メールが通信回線４０を介してパーソナルコンピュータ４１に送られる。いわゆるScan To Emailである。


【手続補正１１】
【補正対象書類名】明細書
【補正対象項目名】００３７
【補正方法】変更
【補正の内容】
【００３７】
ところで、ネットワークスキャン機能のお試しモードの途中で、ＵＳＢインタフェース９にスキャンイネーブラキー１２が挿入接続されることがある（ステップ１０４のＹＥＳ）。この場合は、スキャンイネーブラキー１２からコードが読み出され、読み出されたコードが解読される（ステップ１１９）。この解読結果が本体１に固有の識別コードおよびプリント可能コードに一致しなければ（ステップ１２０のＮＯ）、不一致の旨がコントロールパネル４の空き表示領域に文字表示される（ステップ１２１）。この表示を見たユーザは、スキャンイネーブラキー１２を適正なものと交換してもらい、それを再びＵＳＢインタフェース９に挿入接続することになる（ステップ１０４のＹＥＳ）。


【手続補正１２】
【補正対象書類名】明細書
【補正対象項目名】００３８
【補正方法】変更
【補正の内容】
【００３８】
再セットされたスキャンイネーブラキー１２からコードが読み出されて解読され（ステップ１１９）、その解読結果が本体１に固有の識別コードおよびプリント可能コードに一致すれば（ステップ１２０のＹＥＳ）、再セットされたのがスキャンイネーブラキー１２であることにより（ステップ１２２のＮＯ）、以後のネットワークスキャン機能の使用が許可される（ステップ１３８）。